(57)【要約】【課題】脱臭装置より排出される排ガス（分解ガス）の熱を利用するとともに、他の生産ラインに影響を与えることのない独立した単独システムとして構築される排熱回収システム、および排熱回収方法を提供することを課題とする。【解決手段】脱臭装置１と、前記脱臭装置１に配設され該脱臭装置１からの排ガスを外部に排出するための排出ガス用ダクト１１内に設けられる熱回収コイル２１と、前記熱回収コイル２１内を流動して、前記排出ガス用ダクト１１内を通過する排ガスにより昇温される循環水と、前記循環水を一時的に備蓄する蓄熱タンク２２と、前記熱回収コイル２１と蓄熱タンク２２とを接続し、前記循環水を前記熱回収コイル２１と前記蓄熱タンク２２との間で循環させるための第一循環経路２３と、前記蓄熱タンク２２内の循環水を外部に取り出し、取り出した循環水を循環させ、該循環水の熱により被昇温対象物４を昇温する排熱取出装置３と、を備える。【選択図】図１
2011094853.tif 000002
【特許請求の範囲】
【請求項１】
脱臭装置を利用した排熱回収システムであって、
脱臭装置と、
前記脱臭装置に配設され該脱臭装置からの排ガスを外部に排出するための排出ガス用ダクト内に設けられる熱交換器と、
前記熱交換器内を流動して、前記排出ガス用ダクト内を通過する排ガスにより昇温される循環水と、
前記循環水を一時的に備蓄する蓄熱タンクと、
前記熱交換器と蓄熱タンクとを接続し、前記循環水を前記熱交換器と前記蓄熱タンクとの間で循環させるための循環経路と、
前記蓄熱タンク内の循環水を外部に取り出し、取り出した循環水を循環させ、該循環水の熱により被昇温対象物を昇温する昇温手段と、
を備える、
ことを特徴とする、排熱回収システム。
【請求項２】
前記排出ガス用ダクトは、
本流部と、
前記本流部の中途部で分岐するバイパス部と、
により構成され、
前記熱交換器は前記バイパス部内に設けられ、
前記本流部内における前記バイパス部の分岐箇所近傍の下流側と、
前記バイパス部内における前記本流部からの分岐箇所近傍とには、
前記本流部およびバイパス部の開閉量を調節可能な開閉弁を配設する、
ことを特徴とする、請求項１に記載の排熱回収システム。
【請求項３】
前記蓄熱タンクには、内部に備蓄する循環水の温度を検出する第一温度検出手段を配設し、
前記第一温度検出手段により検出した温度に基づいて、前記開閉弁の開閉量を比例制御する、
ことを特徴とする、請求項２に記載の排熱回収システム。
【請求項４】
前記被昇温対象物には、該被昇温対象物の温度を測定する第二温度検出手段が配設され、
前記第二温度検出手段により検出した温度が所定の温度になるように、前記昇温手段に循環させる循環水の流量を調整するとともに、
前記開閉弁、および前記循環経路内と前記昇温手段とを循環する循環水の流量は共通の制御装置によって制御される、
ことを特徴とする、請求項２、または請求項３に記載の排熱回収システム。
【請求項５】
前記制御装置は表示パネルを具備し、
前記脱臭装置と前記開閉弁とに関する運転状況、および前記循環経路内と前記昇温手段を循環する循環水に関する現状況は、前記表示パネルによって表示される、
ことを特徴とする、請求項４に記載の排熱回収システム。
【請求項６】
前記循環水は、前記熱回収コイル内を流動することにより、８５℃以上９０℃以内にまで昇温される、
ことを特徴とする、請求項１乃至請求項５のうちのいずれか一項に記載の排熱回収システム。
【請求項７】
脱臭装置を利用した排熱回収方法であって、
脱臭装置より排出された排出ガスの熱を循環水により回収して、該循環水を昇温させ、
昇温された循環水を一時的に備蓄し、
備蓄された循環水を外部に取り出して、該循環水の熱により被昇温対象物を昇温する、
ことを特徴とする、排熱回収方法。
【請求項８】
前記排出ガスより回収する熱の増減は、前記排出ガスの流量を増減することにより行う、
ことを特徴とする、請求項７に記載の排熱回収方法。
【請求項９】
前記循環水の温度を測定し、
前記温度に基づく比例制御を行うことで、前記排出ガスの流量を増減する、
ことを特徴とする、請求項８に記載の排熱回収方法。
【請求項１０】
前記被昇温対象物の温度を測定し、
前記温度に基づいて、前記被昇温対象物が所定の温度になるように、前記備蓄された循環水を外部に取り出す流量を調整するとともに、
前記排出ガスの流量と、前記排出ガスの熱を回収する循環水の流量と、回収した熱を外部に取り出す循環水の流量と、は共通の制御装置によって制御する、
ことを特徴とする、請求項８、または請求項９に記載の排熱回収方法。
【請求項１１】
前記制御装置は表示パネルを具備し、
前記脱臭装置と前記開閉弁とに関する運転状況、および前記循環経路内と前記昇温手段を循環する循環水に関する現状況は、前記表示パネルによって表示される、
ことを特徴とする、請求項１０に記載の排熱回収方法。
【請求項１２】
前記循環水は、前記熱回収コイル内を流動することにより、８５℃以上９０℃以内にまで昇温される、
ことを特徴とする、請求項７乃至請求項１１のうちのいずれか一項に記載の排熱回収方法。
【発明の詳細な説明】
【技術分野】
【０００１】
本発明は、脱臭装置より排出される排ガスを利用した排熱回収システム、および排熱回収方法の技術に関する。
【背景技術】
【０００２】
一般的に、塗装工場などのように有機溶剤を扱う工場では、環境対策に万全を期する必要性から、工場内の悪臭物質（揮発性有機化合物）を含む臭気ガスは、脱臭装置によって一旦脱臭した後、高温の排ガス（以下、「分解ガス」と記す）として大気中に排出することとしている。
一方、近年では環境対策の一つとして二酸化炭素（ＣＯ２）の低減化に関する要望が高まっており、これら塗装工場などにおいても、工場全体として省エネルギー化を実現することが急務となっている。
【０００３】
ここで、従来から、回収した熱（排熱）を再利用することで省エネルギー化を実現するための技術として、コージェネレーションシステム（Ｃｏｇｅｎｅｒａｔｉｏｎ  Ｓｙｓｔｅｍ）が知られている（例えば、「特許文献１」を参照。）。
しかし、前記コージェネレーションシステムはガスエンジンなどによって発電を行うとともに、該ガスエンジンなどから放出された排ガスに含まれる熱を回収し、再び給湯や暖房などに利用するように構築されたシステムである。つまり、コージェネレーションシステムは、再利用を行う排熱の供給源として、ガスエンジンなどを必要とするシステムとなっている。このため、このようなコージェネレーションシステムは、前述した塗装工場などにおいて、脱臭装置より排出される高温の分解ガスから熱を回収するために用いることができない。
【０００４】
そこで、脱臭装置の分解ガスから排熱回収を行い、工場全体として省エネルギー化を図った排熱回収システムが提案されている。
ここで、従来の排熱回収システムの一例について、図４を用いて概略説明する。
排熱回収システム２００は、主に脱臭装置２０１や、排熱循環装置２０２や、排熱取出装置２０３などにより構成される。
【０００５】
脱臭装置２０１には、分解ガスを大気中に排出するための排出ガス用ダクト２１１が固設され、該排出ガス用ダクト２１１の内部には、排熱循環装置２０２に具備される熱回収コイル２２１が配設される。
また、排熱循環装置２０２は、前記熱回収コイル２２１や、複数の温水漕２２２・２２２や、これら熱回収コイル２２１と温水漕２２２・２２２との間に設けられる第一循環経路２２３などによって構成され、前記温水漕２２２・２２２は、排熱取出装置２０３・２０３を介して、例えば電着塗装ラインの前処理ラインに設けられる、化成槽２０４ａや、脱脂槽２０４ｂなどからなる複数の被昇温対象物２０４・２０４に各々連通される。
【０００６】
そして、化成槽２０４ａや、脱脂槽２０４ｂに用いられる液体（以下、「温水」と記す）は、排熱取出装置２０３・２０３を介して一旦各々の温水漕２２２・２２２の内部に備蓄され、その後、排熱循環装置２０２によって循環運転されることで、分解ガスの熱を回収して昇温され、再び各々の温水漕２２２・２２２に供給されるようになっている。
つまり、温水は熱回収コイル２２１を通過することで、排出ガス用ダクト２１１内を流れる分解ガスの熱を受け取って昇温され、一旦温水漕２２２・２２２の内部に備蓄された後、必要に応じて化成槽２０４ａや、脱脂槽２０４ｂに各々供給されるようになっている。
【先行技術文献】
【特許文献】
【０００７】
【特許文献１】特開２００９−７４７４４号公報
【発明の概要】
【発明が解決しようとする課題】
【０００８】
このような排熱回収システム２００を用いれば、脱臭装置２０１より排出される高温の分解ガスより熱（排熱）を回収し、回収した熱を温水の昇温のために再利用することが可能となり、塗装工場などにおいて、工場全体として省エネルギー化を図ることができる。
しかし、前記排熱回収システム２００は、化成槽２０４ａや、脱脂槽２０４ｂによって用いられる温水を、直接熱回収コイル２２１を介して昇温させる構成となっている。よって、排熱回収システム２００における熱の回収は、分解ガスの排出時、即ち脱臭装置２０１の運転中に限定されることとなり、前記排熱回収システム２００は、脱臭装置２０１の運転が停止している間、運転停止を余儀なくされるシステム構成となっていた。
また、第一循環経路２２３の一部が破損して、温水の漏水が発生した場合には、化成槽２０４ａや、脱脂槽２０４ｂの槽内における温水の水量を保持することができなくなり、前記排熱回収システム２００は、電着塗装ラインの前処理ラインに直接影響を与えるようなシステム構成となっていた。
【０００９】
このような問題点を鑑み、本発明においては、脱臭装置より排出される排ガス（分解ガス）の熱を利用するとともに、他の生産ライン（例えば、前述した電着塗装ラインの前処理ラインなど）に影響を与えることのない独立した単独システムとして構築される排熱回収システム、および排熱回収方法を提供することを課題とする。
【課題を解決するための手段】
【００１０】
本発明の解決しようとする課題は以上の如くであり、次にこの課題を解決するための手段を説明する。
【００１１】
即ち、請求項１においては、脱臭装置を利用した排熱回収システムであって、脱臭装置と、前記脱臭装置に配設され該脱臭装置からの排ガスを外部に排出するための排出ガス用ダクト内に設けられる熱交換器と、前記熱交換器内を流動して、前記排出ガス用ダクト内を通過する排ガスにより昇温される循環水と、前記循環水を一時的に備蓄する蓄熱タンクと、前記熱交換器と蓄熱タンクとを接続し、前記循環水を前記熱交換器と前記蓄熱タンクとの間で循環させるための循環経路と、前記蓄熱タンク内の循環水を外部に取り出し、取り出した循環水を循環させ、該循環水の熱により被昇温対象物を昇温する昇温手段と、を備えるものである。
【００１２】
請求項２においては、請求項１に記載の排熱回収システムであって、前記排出ガス用ダクトは、本流部と、前記本流部の中途部で分岐するバイパス部と、により構成され、前記熱交換器は前記バイパス部内に設けられ、前記本流部内における前記バイパス部の分岐箇所近傍の下流側と、前記バイパス部内における前記本流部からの分岐箇所近傍とには、前記本流部およびバイパス部の開閉量を調節可能な開閉弁を配設するものである。
【００１３】
請求項３においては、請求項２に記載の排熱回収システムであって、前記蓄熱タンクには、内部に備蓄する循環水の温度を検出する第一温度検出手段を配設し、前記第一温度検出手段により検出した温度に基づいて、前記開閉弁の開閉量を比例制御するものである。
【００１４】
請求項４においては、請求項２、または請求項３に記載の排熱回収システムであって、前記被昇温対象物には、該被昇温対象物の温度を測定する第二温度検出手段が配設され、前記第二温度検出手段により検出した温度が所定の温度になるように、前記昇温手段に循環させる循環水の流量を調整するとともに、前記開閉弁弁、および前記循環経路内と前記昇温手段とを循環する循環水の流量は共通の制御装置によって制御されるものである。
【００１５】
請求項５においては、請求項４に記載の排熱回収システムであって、前記制御装置は表示パネルを具備し、前記脱臭装置と前記開閉弁とに関する運転状況、および前記循環経路内と前記昇温手段を循環する循環水に関する現状況は、前記表示パネルによって表示されるものである。
【００１６】
請求項６においては、請求項１乃至請求項５のうちのいずれか一項に記載の排熱回収システムであって、前記循環水は、前記熱回収コイル内を流動することにより、８５℃以上９０℃以内にまで昇温されるものである。
【００１７】
請求項７においては、脱臭装置を利用した排熱回収方法であって、脱臭装置より排出された排出ガスの熱を循環水により回収して、該循環水を昇温させ、昇温された循環水を一時的に備蓄し、備蓄された循環水を外部に取り出して、該循環水の熱により被昇温対象物を昇温するものである。
【００１８】
請求項８においては、請求項７に記載の排熱回収方法であって、前記排出ガスより回収する熱の増減は、前記排出ガスの流量を増減することにより行うものである。
【００１９】
請求項９においては、請求項８に記載の排熱回収方法であって、前記循環水の温度を測定し、前記温度に基づく比例制御を行うことで、前記排出ガスの流量を増減するものである。
【００２０】
請求項１０においては、請求項８、または請求項９に記載の排熱回収方法であって、前記被昇温対象物の温度を測定し、前記温度に基づいて、前記被昇温対象物が所定の温度になるように、前記備蓄された循環水を外部に取り出す流量を調整するとともに、前記排出ガスの流量と、前記排出ガスの熱を回収する循環水の流量と、回収した熱を外部に取り出す循環水の流量と、は共通の制御装置によって制御するものである。
【００２１】
請求項１１においては、請求項１０に記載の排熱回収方法であって、前記制御装置は表示パネルを具備し、前記脱臭装置と前記開閉弁とに関する運転状況、および前記循環経路内と前記昇温手段を循環する循環水に関する現状況は、前記表示パネルによって表示されるものである。
【００２２】
請求項１２においては、請求項７乃至請求項１１のうちのいずれか一項に記載の排熱回収方法であって、前記循環水は、前記熱回収コイル内を流動することにより、８５℃以上９０℃以内にまで昇温されるものである。
【発明の効果】
【００２３】
本発明の効果として、以下に示すような効果を奏する。
【００２４】
即ち、本発明に拠れば、脱臭装置より排出される排ガス（分解ガス）の熱を利用するとともに、他の生産ライン（例えば、前述した電着塗装ラインの前処理ラインなど）に影響を与えることのない独立した単独システムとして構築される排熱回収システム、および排熱回収方法を提供することができる。
【図面の簡単な説明】
【００２５】
【図１】本発明の一実施例に係る排熱回収システムの全体的な構成を示した系統線図。
【図２】排熱循環装置の運転方法を示したフローチャート。
【図３】排熱取出装置の運転方法を示したフローチャート。
【図４】従来の排熱回収システムの全体的な構成を示した系統線図。
【発明を実施するための形態】
【００２６】
次に、発明の実施の形態を説明する。
【００２７】
［排熱回収システム１００の全体構成］
先ず、本発明の一実施例に係る排熱回収システム１００の全体的な構成について、図１を用いて説明する。
本実施例における排熱回収システム１００は、脱臭装置１を利用した排熱回収システム１００であって、脱臭装置１から排出された排ガス（以下「分解ガス」と記載する）より熱（排熱）を回収し、回収した熱により、熱媒体としての循環水を介して被昇温対象物４を昇温させるシステムである。
【００２８】
ここで、循環水として用いられる液体の種類については、特に限定されるものではないが、本実施例においては、経済的に安価であり、熱効率が高いなどの理由から、工業用水である水を用いている。
【００２９】
また、本実施例における被昇温対象物４としては、主に電着塗装ラインの前処理ラインに設けられる湯洗槽４ａや、化成槽４ｂや、脱脂槽４ｃなど（の内部に貯溜される液体）としている。即ち、本実施例においては、主に塗装工場の生産ラインにおいて用いられる排熱回収システム１００について記述する。
【００３０】
しかし、本発明における排熱回収システム１００は、このような塗装工場の生産ラインにおいて用いられる場合に限定されず、脱臭装置１を用いたあらゆる設備に利用することができるシステムである。
【００３１】
排熱回収システム１００は脱臭装置１や、排熱循環装置２や、排熱取出装置３や、排熱回収システム１００全体の運転を制御する制御装置５などにより構成される。
先ず、脱臭装置１について説明する。
脱臭装置１は、所謂既知のＲＴＯ（Ｒｅｇｅｎｅｒａｔｉｖｅ  Ｔｈｅｒｍａｌ  Ｏｘｉｄｉｚｅｒ）脱臭装置や直燃式脱臭装置などからなり、熱分解法によって揮発性有機化合物（ＶＯＣ）を水と二酸化炭素とに分解することで脱臭を行う装置である。
なお、本実施例においてはＲＴＯ脱臭装置が設けられるが、これに限定されるものではなく、本発明に係る排熱回収システムおよび排熱回収方法を具現化する排熱回収システム１００は、あらゆるタイプの脱臭装置を用いて構成可能なシステムである。
【００３２】
脱臭装置１の一例であるＲＴＯ脱臭装置としては、ハニカム状の蓄熱体を有する蓄熱室と、バーナーを有する燃焼室と、を内部に含む炉本体部を具備して構成されるものが知られている。
そして、悪臭物質（揮発性有機化合物）を含む排ガスは、吸気口を介して炉本体部の内部に供給されると蓄熱室に通され、蓄熱体に蓄えられている熱によって予熱される。
続いて、予熱された排ガスは燃焼室に通され、バーナーによって燃焼される。これにより、排ガス内の悪臭物質（揮発性有機化合物）は水と二酸化炭素とに分解される。
その後、悪臭物質（揮発性有機化合物）を取り除かれた分解ガスは、再び蓄熱室を通って蓄熱体に熱を与えた後、脱臭装置１の外部へと排気されるようになっている。
【００３３】
脱臭装置１には、脱臭を終えた分解ガスを該脱臭装置１の外部に排出するための排出ガス用ダクト１１が配設される。
排出ガス用ダクト１１は本流部１１ａと、該本流部１１ａの中途部に設けられるバイパス部１１ｂとにより構成される。
【００３４】
本流部１１ａは脱臭装置１の炉本体部において、蓄熱室と連通するようにして配設される。また、バイパス部１１ｂは本流部１１ａの中途部において、一旦分岐して再び本流部１１ａと合流するようにして配設される。
【００３５】
なお、バイパス部１１ｂの形状については、本実施例に拠るものに限定されるものではなく、例えば、本流部１１ａの中途部にて一旦分岐し、そのまま該本流部１１ａと合流することなく任意の方向に延出するように形成してもよい。
【００３６】
そして、本流部１１ａの内部において、バイパス部１１ｂとの連通箇所（即ち、バイパス部１１ｂが本流部１１ａより分岐する分岐箇所１１Ａ、およびバイパス部１１ｂが本流部１１ａと合流する合流箇所１１Ｂ）により挟まれた領域にはダンパー１２が配設される。
つまり、本流部１１ａの内部において、バイパス部１１ｂの分岐箇所１１Ａ近傍における下流側にはダンパー１２が配設される。
【００３７】
また、バイパス部１１ｂの内部において、本流部１１ａとの上流側の連通箇所（即ち、バイパス部１１ｂの脱臭装置１側端部となる、本流部１１ａからの分岐箇所１１Ａ）の近傍にはダンパー１３が配設されるとともに、バイパス部１１ｂ内部の略中央部には、後述する熱回収コイル２１が配設される。
【００３８】
なお、本流部１１ａ内において、脱臭装置１の炉本体部との連通箇所近傍には、温度センサーなどからなる温度検出手段５５が嵌設され、該温度検出手段５５により、脱臭装置１より排出された分解ガスの温度が測定されるようになっている。
【００３９】
ダンパー１２は本流部１１ａ内部の断面形状と略同じ形状からなる板状部材１２ａと、該板状部材１２ａを回動可能に支持する回動軸１２ｂと、により構成される。そして、ダンパー１２は本流部１１ａの内部において、回動軸１２ｂが本流部１１ａの中心軸と直交するようにして回動可能に配設される。
【００４０】
また、ダンパー１３はバイパス部１１ｂ内部の断面形状と略同じ形状からなる板状部材１３ａと、該板状部材１３ａを回動可能に支持する回動軸１３ｂと、により構成される。そして、ダンパー１３はバイパス１１ｂの内部において、回動軸１３ｂがバイパス部１１ｂの中心軸と直交するようにして回動可能に配設される。
【００４１】
なお、これらダンパー１２・１３は本実施例に拠るものに限定されるものではなく、前記ダンパー１２・１３が配設される排ガス用ダクト１１の断面形状に基づいて、様々な構成を有するものである。
例えば、排ガス用ダクト１１の断面形状が矩形状である場合、該断面形状に即して形成される矩形状の枠体と、該枠体の内周部において回動可能に並設される複数の板状部材と、により、これらダンパー１２・１３を各々構成してもよい。
【００４２】
そして、これらダンパー１２・１３にはステッピングモータなどからなるアクチュエーター１２ｃ・１３ｃが各々設けられ、該アクチュエーター１２ｃ・１３ｃによってダンパー１２・１３を回動することで、本流部１１ａ、およびバイパス部１１ｂ内部の開閉量が調節されるようになっている。
【００４３】
つまり、ダンパー１２の板状部材１２ａが本流部１１ａの中心軸に対して直交する状態であれば、本流部１１ａの内部はダンパー１２によって完全に塞がれた状態となる（「全閉状態」）。
このような「全閉状態」から回動軸１２ｂを中心として、ダンパー１２を徐々に回動していくと、これに従い本流部１１ａの内部も徐々に開放されていく。
【００４４】
そして、板状部材１２ａが本流部１１ａの中心軸に対して平行となる状態にまでダンパー１２が回動すると、本流部１１ａの内部はダンパー１２より完全に開放された状態となる（「全開状態」）。
【００４５】
一方、ダンパー１３の板状部材１３ａがバイパス部１１ｂの中心軸に対して直交する状態であれば、バイパス部１１ｂの内部はダンパー１３によって完全に塞がれた状態となる（「全閉状態」）。
このような「全閉状態」から回動軸１３ｂを中心として、これらダンパー１３を徐々に回動していくと、これに従いバイパス部１１ｂの内部も徐々に開放されていく。
【００４６】
そして、板状部材１３ａがバイパス部１１ｂの中心軸に対して平行となる状態にまでダンパー１３が回動すると、バイパス部１１ｂの内部はダンパー１３より完全に開放された状態となる（「全開状態」）。
【００４７】
なお、これらダンパー１２・１３の回動動作は、互いの開度（回動軸１２ｂ・１３ｂを中心とした板状部材１２ａ・１３ａの回転角度）が常に反比例の関係を維持することとなっている。
【００４８】
即ち、ダンパー１２が「全開状態」にある場合、ダンパー１３は常に「全閉状態」となっている。また、ダンパー１２が「全閉状態」にある場合、ダンパー１３は常に「全開状態」となっている。
【００４９】
そして、ダンパー１２が「全閉状態」に向かって回動すれば、ダンパー１３はダンパー１２の開度と同じ分だけ「全開状態」に向かって回動動作を行う。また、ダンパー１２が「全開状態」に向かって回動すれば、ダンパー１３はダンパー１２の開度と同じ分だけ「全閉状態」に向かって回動動作を行うのである。
【００５０】
次に、排熱循環装置２について説明する。
排熱循環装置２は分解ガスより回収した熱を、循環水を介して蓄熱するための装置であり、熱回収コイル２１や、蓄熱タンク２２や、これら熱回収コイル２１と蓄熱タンク２２との間に設けられる第一循環経路２３などにより構成される。
【００５１】
熱回収コイル２１は所謂既知の熱交換器であり、分解ガスが有する熱を、循環水に受け渡すためのものである。
熱回収コイル２１は、バイパス部１１ｂ内部の略中途部（バイパス部１１ｂの内部において、分解ガスの流れ方向に対する略中途部）に配設されており、例えば連続的に繋がる複数本のヒートパイプを有して構成されている。前記各ヒートパイプには、それぞれ複数の板状部材からなる伝熱面（フィン）が固設される。
また、前記各ヒートパイプの一端部は第一循環経路２３の送給経路２３ａと連通され、他端部は第一循環経路２３の送還経路２３ｂと連通される。
【００５２】
そして、脱臭装置１より排出された分解ガスがバイパス部１１ｂ内に流れ込み、熱回収コイル２１を通過することで、前記分解ガスの有する熱は伝熱面（フィン）を介して各ヒートパイプ内に伝わる。その後、各ヒートパイプ内に伝わった熱は、送給経路２３ａを通って該ヒートパイプ内に流れ込んだ循環水を昇温する。つまり、熱回収コイル２１によって、バイパス部１１ｂを通過する分解ガスの熱は、循環水へ移動（回収）されるのである。
【００５３】
蓄熱タンク２２は昇温された循環水を介して、分解ガスより回収した熱を一時的に備蓄するためのタンクである。
蓄熱タンク２２は断熱部材などにより十分な保温対策が施され、該蓄熱タンク２２内に備蓄される循環水の温度が、外気によって影響を受けないようになっている。
【００５４】
なお、蓄熱タンク２２内には、温度センサーなどからなる温度検出手段５６が嵌設され、該温度検出手段５６により蓄熱タンク２２内に備蓄される循環水の温度が測定されるようになっている。そして後述するように、測定された循環水の温度に基づいて、ダンパー１２・１３の開閉状態を制御することで、前記循環水が異常な高温度にまで昇温されることを防止するようになっている。
【００５５】
第一循環経路２３は、熱回収コイル２１と前記蓄熱タンク２２との間において、循環水を循環させるための経路として設けられ、主に蓄熱タンク２２より熱回収コイル２１へ循環水を送給する送給経路２３ａと、熱回収コイル２１より蓄熱タンク２２へ循環水を送還する送還経路２３ｂとにより構成される。
【００５６】
そして、これら送給経路２３ａおよび送還経路２３ｂは、各々その一端部が熱回収コイル２１と連通され、その他端部が蓄熱タンク２２と連通される。
つまり、第一循環経路２３は、熱回収コイル２１と蓄熱タンク２２とを接続し、前記循環水を前記熱回収コイル２１と前記蓄熱タンク２２との間で循環させるための循環経路として、これら前記熱回収コイル２１と前記蓄熱タンク２２との間に設けられる。
【００５７】
送給経路２３ａにおいて、蓄熱タンク２２との連通過所近傍にはポンプ２４が設けられる。そして、蓄熱タンク２２内に備蓄される循環水は、ポンプ２４によって熱回収コイル２１に向かって吐出される。
【００５８】
そして、蓄熱タンク２２内に備蓄される循環水は、ポンプ２４によって熱回収コイル２１に送られ、熱回収コイル２１に送られた循環水は、ヒートパイプ内を流れることで分解ガスの熱を取り込んで昇温され、昇温された循環水は、送還経路２３ｂを通って再び蓄熱タンク２２へと送られ該蓄熱タンク２２内に備蓄されるのである。
つまり、循環水は、第一循環経路２３を介して蓄熱タンク２２と熱回収コイル２１との間を循環しながら、分解ガスの熱を回収するのである。
【００５９】
次に、排熱取出装置３について説明する。
排熱取出装置３は、蓄熱タンク２２内に備蓄される循環水を取り出し、取り出した循環水を循環させ、該循環水を熱媒体として被昇温対象物４を昇温するための昇温手段として具備される装置であり、熱交換器３１や、第二循環経路３２などにより構成される。
【００６０】
第二循環経路３２は、熱交換器３１と前記蓄熱タンク２２との間において、循環水を循環させるための経路として設けられ、主に蓄熱タンク２２より熱交換器３１へ循環水を送給する送給経路３２ａと、熱交換器３１より蓄熱タンク２２へ循環水を送還する送還経路３２ｂとにより構成される。
【００６１】
そして、これら送給経路３２ａおよび送還経路３２ｂの一端部は、各々熱交換器３１と連通されるとともに、その他端部は、各々蓄熱タンク２２と連通される。
つまり、熱交換器３１は既知のヒートパイプより形成され、その一端部が第二循環経路３２の送給経路３２ａと連通され、その他端部が第二循環経路３２の送還経路３２ｂと連通されている。
【００６２】
そして、蓄熱タンク２２内の循環水は、送給経路３２ａを通って熱交換器３１に流れ込み、熱交換器３１に流れ込んだ循環水は、後述する被昇温対象物４内に熱を伝達し、該熱が伝達された被昇温対象物４は、昇温されるのである。
熱交換器３１内に流れ込んだ循環水は、熱を放出した後に送還経路３２ｂから蓄熱タンク２２へ送還される。
【００６３】
送給経路３２ａにおいて、蓄熱タンク２２との連通過所近傍にはポンプ３３が設けられ、該ポンプ３３によって蓄熱タンク２２内に備蓄される循環水は、熱交換器３１に向かって吐出される。
【００６４】
このような構成からなる排熱取出装置３・３・３は、被昇温対象物４・４・４としての湯洗槽４ａや化成槽４ｂや脱脂槽４ｃに対して各々具備されており、これら各槽４ａ・４ｂ・４ｃの内部に熱交換器３１・３１・３１が挿入して配設されている。
【００６５】
なお、これら湯洗槽４ａや化成槽４ｂや脱脂槽４ｃ内には、温度センサーなどからなる温度検出手段５７・５７・５７が各々嵌設され、該温度検出手段５７・５７・５７により、各槽４ａ・４ｂ・４ｃ内に貯溜される液体（以下、「温水」と記す）の温度が各々測定されるようになっている。
【００６６】
そして、蓄熱タンク２２内に備蓄される循環水は、ポンプ３３によって熱交換器３１に送られる。また、熱交換器３１に送られた循環水は、ヒートパイプ内を流れることで熱が奪われて冷却される。そして、冷却された循環水は、送還経路３２ｂを通って再び蓄熱タンク２２へと送られ、該蓄熱タンク２２内に備蓄されるのである。
【００６７】
一方、循環水より奪った熱は、被昇温対象物４としての脱脂槽４ｃや化成槽４ｂや湯洗槽４ａ（の内部に貯溜される温水）に各々伝えられ、これら各槽４ａ・４ｂ・４ｃ内（の内部に貯溜される温水）を昇温する。
【００６８】
なお、これら脱脂槽４ｃや化成槽４ｂや湯洗槽４ａにおいては、排熱取出装置３・３・３が各々配設される一方で、高温の蒸気を供給する蒸気供給経路５８・５８・５８が連通されている。
【００６９】
そして、蒸気供給経路５８・５８・５８には電磁式開閉弁５９・５９・５９が各々配設され、後述する制御装置５から送信される指令に基づき、これら電磁式開閉弁５９・５９・５９が動作することで、蒸気供給経路５８・５８・５８の開閉状態は、各々制御されるようになっている。
【００７０】
即ち、これら電磁式開閉弁５９・５９・５９は、排熱回収システム１００の運転が開始されると、蒸気供給経路５８・５８・５８の開閉状態を通常（例えば排熱循環装置２が正常に運転されている場合）は「閉」状態とするように設定されている。
【００７１】
そして、蓄熱タンク２２に挿嵌される温度検出手段５６により検出された温度が異常に低い場合など、排熱循環装置２に対して予測不可能な事態が発生した場合などには、後述する制御装置５から送信される指令に基づき、応急的に電磁式開閉弁５９・５９・５９を「開」状態とし、蒸気供給経路５８・５８・５８を介して湯洗槽４ａや化成槽４ｂや脱脂槽４ｃに高温蒸気を流し込むことで、これら湯洗槽４ａや化成槽４ｂや脱脂槽４ｃ内に貯溜される温水の温度を所定の温度まで昇温するようになっている。
【００７２】
このように、本実施例における排熱回収システム１００では、蓄熱タンク２２を中心として、循環水が排熱循環装置２および排熱取出装置３内を循環する単独システムとして構成されており、前記循環水を熱媒体として、被昇温対象物４（脱脂槽４ｃや化成槽４ｂや湯洗槽４ａ内に貯溜される温水）を昇温させる構成となっている。
つまり、本実施例における排熱回収システム１００は、従来の排熱回収システム２００（図４を参照）のように、熱供給用として用いられる循環水を被昇温対象物４に対して直接供給するものではなく、被昇温対象物４内に貯溜される温水と、前記循環水とは独立した構成となっている。
【００７３】
次に、制御装置５について説明する。
制御装置５は、脱臭装置１の排出ガス用ダクト１１や排熱循環装置２や排熱取出装置３などに関する排熱回収システム１００全体の運転を、一括して集中管理するためのものである。
制御装置５には、複数の温度調整器５１・５２・５３・５４や、脱臭装置１と排熱循環装置２と排熱取出装置３との運転状態を表示するモニター部などが出力手段として接続され、さらにタッチパネルなどからなる入力手段が接続されている。
【００７４】
ここで、本実施例における塗装工場の生産ラインにおいては、該生産ラインに沿って配設される様々な装置（図示せず）の運転を制御するための制御装置（以下、「ライン用制御装置」と記す）が前記制御装置５に対して別途設けられており、脱臭装置１の本体は、前記ライン用制御装置と接続される。
そして、脱臭装置１の運転（運転起動・運転停止）に関する制御は、生産ライン全体の運転に応じて単独で行うことができるように、ライン用制御装置は構成されている。
なお、脱臭装置１の運転状態は、ライン用制御装置によって温度調整器５１に入力信号として送信される。
【００７５】
複数の温度調整器５１・５２・５３・５４には、脱臭装置１の排出ガス用ダクト１１や排熱循環装置２や排熱取出装置３などに具備される様々な機器類が接続される。そして、これら脱臭装置１の排出ガス用ダクト１１や排熱循環装置２や排熱取出装置３などに関する運転は、制御装置５より送信される指令に基づいて、前記温度調整器５１・５２・５３・５４によって各々制御される。
【００７６】
具体的には、温度調整器５１には、排出ガス用ダクト１１の本流部１１ａ内に嵌設される温度検出手段５５や、蓄熱タンク２２内に嵌設される温度検出手段５６や、脱臭装置１の運転状態を把握する制御部などが入力手段として連結される。
【００７７】
また、温度調整器５１には、脱臭装置１の排出ガス用ダクト１１の本流部１１ａ内に設けられるダンパー１２のアクチュエーター１２ｃや、排出ガス用ダクト１１のバイパス部１１ｂ内に設けられるダンパー１３のアクチュエーター１３ｃや、排熱循環装置２の送給経路２３ａに配設されるポンプ２４などが出力手段として連結される。
【００７８】
さらに、温度調整器５２・５３・５４には、湯洗槽４ａや化成槽４ｂや脱脂槽４ｃ内に嵌設される温度検出手段５７・５７・５７などが各々入力手段として連結されるとともに、排熱取出装置３・３・３の送給経路３２ａ・３２ａ・３２ａに配設されるポンプ３３・３３・３３や、蒸気供給経路５８・５８・５８に配設される電磁式開閉弁３４・３４・３４などが各々出力手段として連結される。
【００７９】
そして、温度調整器５１は、温度検出手段５５・５６によって検出された検出値に基づいて、ダンパー１２・１３やポンプ２４の運転を制御し、また温度調整器５２・５３・５４は、温度検出手段５５・５５・５５によって検出された検出値に基づいて、ポンプ３３・３３・３３や電磁式開閉弁３４・３４・３４の運転を各々制御する。
【００８０】
このように、排出ガス用ダクト１１内に設けられるダンパー１２・１３、および排熱循環装置２の第一循環経路２３内と排熱取出装置３の第二循環経路３２内とを循環する循環水の流量は、共通の制御装置５によって制御されるようになっている。
つまり、排出ガス用ダクト１１内を通る分解ガスの流量と、第一循環経路２３内を循環して前記分解ガスの熱を回収する循環水の流量と、第二循環経路３２内を循環して外部に熱を取り出す循環水の流量とは、共通の制御装置５によって制御される。
【００８１】
なお、本実施例においては、脱臭装置１の排出ガス用ダクト１１や排熱循環装置２や排熱取出装置３などの制御については、複数の温度調整器５１・５２・５３・５４によって行うこととしているが、これに限定されるものではない。
即ち、これら温度調整器５１・５２・５３・５４を一つにまとめて制御装置５内に組み込んでもよく、脱臭装置１の排出ガス用ダクト１１や排熱循環装置２や排熱取出装置３などの制御については、制御装置５によって直接行う構成としてもよい。
【００８２】
制御装置５はＲＡＭやＲＯＭ等からなる記憶部や、ＣＰＵからなる演算処理部などにより構成される。
なお、本実施例における制御装置５は、主として小型コンピュータの一種であるＰＬＣ（Ｐｒｏｇｒａｍｍａｂｌｅ  Ｌｏｇｉｃ  Ｃｏｎｔｒｏｌｌｅｒ）によって構成されるが、これに限定されるものではなく、例えばリレー回路を用いて構成されるものでもよい。
【００８３】
前記記憶部には、脱臭装置１や排熱循環装置２や排熱取出装置３などに関する運転を、一括して集中管理するための様々なプログラムが予め格納されている。また、記憶部には、演算処理部の命令により入力手段から入力された情報が一時的に保存されるようになっている。
【００８４】
そして、排熱回収システム１００の運転に関する命令が、入力手段を介して制御装置５に与えられると、該制御装置５は記憶部より必要な情報や、運転に関するプログラムなどを読み出して演算処理部で演算処理を実行し、その後、演算結果に基づいて出力手段としての温度調整器５１・５２・５３・５４に運転に関する指令を与えるようになっている。
【００８５】
そして、温度調整器５１・５２・５３・５４によって脱臭装置１の排出ガス用ダクト１１や排熱循環装置２や排熱取出装置３などが運転されるとともに、これら脱臭装置１と排出ガス用ダクト１１内に設けられるダンパー１２・１３とに関する運転状況、および排熱循環装置２と排熱取出装置３との間を循環する循環水に関する現状況（流量や温度）などが、制御装置５に設けられる共通のパネルによって表示されるようになっている。
【００８６】
［排熱循環装置２の運転方法］
次に、排熱回収システム１００における排熱循環装置２の運転方法について、図２を用いて説明する。
先ず、排出ガス用ダクト１１内において、本流部１１ａに配設されるダンパー１２を「全開状態」とし、バイパス部１１ｂに配設されるダンパー１３を「全閉状態」として（ステップＳ１０１）、脱臭装置１の運転を開始する。
【００８７】
脱臭装置１が運転を開始すれば、温度調整器５１は該脱臭装置１の運転状態を検知し（ステップＳ１０２）、排熱循環装置２におけるポンプ２４を作動させる。
そして、排熱循環装置２におけるポンプ２４が作動すると（ステップＳ１０３）、蓄熱タンク２２内に備蓄される循環水が熱回収コイル２１に向かって圧送され、第一循環経路２３を介して、蓄熱タンク２２と熱回収コイル２１との間における循環水の循環運転が開始される。
【００８８】
なお、本実施例においては、ポンプ２４の運転については、脱臭装置１の運転状態によって、作動・停止の制御のみを行うこととしているが、このような制御方法に限定されるものではない。
即ち、ポンプ２４の運転に関する制御方法については、例えばより効率的に分解ガスの熱を回収するべく、該分解ガスの温度に応じて、ポンプ２４により循環水の圧送量を調整したり、或いは開閉弁により循環水の流量を調整したりするような制御方法であってもよい。
【００８９】
一方、運転を開始した脱臭装置１からは分解ガスが排出され、排出ガス用ダクト１１の本流部１１ａを通って大気中に放出される。
なお、運転開始直後の脱臭装置１より排出される分解ガスの温度（Ｔｇ）は、大気の温度と略同等な低温であり、脱臭装置１の運転開始から時間が経過するに従い分解ガスの温度（Ｔｇ）は徐々に上昇する。
【００９０】
本流部１１ａ内に分解ガスが流れ込むと、温度検出手段５５は分解ガスの温度（Ｔｇ）を検出（測定）する（ステップＳ１０４）。そして、温度検出手段５５は、該検出した検出値を電気信号として温度調整器５１に送信する。
【００９１】
前記電気信号を受信した温度調整器５１は、前記電気信号の内容（つまり、分解ガスの温度（Ｔｇ））に基づいて演算処理を実行する。
即ち、温度調整器５１には予め設定された閾値としての温度（Ｔａ）が記憶されており、該温度調整器５１は、実際の分解ガスの温度（Ｔｇ）が、前記閾値としての温度（Ｔａ）以上であるか否かを判定する（ステップＳ１０５）。
【００９２】
ここで、本実施例においては、循環水として工場用水（水）を用いることとしており、気化現象を起こさず安定した液体状態を維持した温水を得るべく、前記循環水の目標温度を略９０℃（具体的には、８５℃以上９０℃以内）としている。
よって、本実施例において、前記閾値としての温度（Ｔａ）は９０℃に設定し、９０℃以上の分解ガスによって、循環水は昇温される。
【００９３】
そして、温度検出手段５５によって検出された分解ガスの温度（Ｔｇ）が閾値の温度（Ｔａ＝９０℃）以上であれば、温度調整器５１はダンパー１２・１３のアクチュエーター１２ｃ・１３ｃに対して各々出力信号を送信し、該出力信号を受信したアクチュエーター１２ｃ・１３ｃはダンパー１２・１３を各々回動させる。
【００９４】
その結果、排出ガス用ダクト１１の内部において、本流部１１ａに配設されるダンパー１２は「全閉状態」となり、バイパス部１１ｂに配設されるダンパー１３は「全開状態」となる（ステップＳ１０６）。
【００９５】
一方、温度検出手段５５によって検出された分解ガスの温度（Ｔｇ）が閾値の温度（Ｔａ＝９０℃）未満であれば、温度調整器５１よりダンパー１２・１３のアクチュエーター１２ｃ・１３ｃに対して各々出力信号が送信されることはなく、本流部１１ａに配設されるダンパー１２は「全開状態」を維持し、バイパス部１１ｂに配設されるダンパー１３は「全閉状態」を維持することとなる。
【００９６】
なお、このような実際の分解ガスの温度（Ｔｇ）が閾値の温度（Ｔａ＝９０℃）未満である場合、その後随時（予め定められた一定時間ごとに）、再び温度検出手段５５は本流部１１ａ内を流れる分解ガスの温度（Ｔｇ）を検出する。そして、温度調整器５１は、実際の分解ガスの温度（Ｔｇ）が、前記閾値としての温度（Ｔａ＝９０℃）以上であるかどうかを判定する。
【００９７】
排出ガス用ダクト１１の内部において、本流部１１ａに配設されるダンパー１２が「全閉状態」となり、バイパス部１１ｂに配設されるダンパー１３が「全開状態」となると、本流部１１ａに流れ込んだ分解ガスは、ダンパー１２によって堰きとめられ、その後、強制的にバイパス部１１ｂ内に流れ込むようになる。
【００９８】
そして、バイパス部１１ｂ内に流れ込んだ分解ガスは、熱回収コイル２１を通過して再び本流部１１ａと合流し、該本流部１１ａを通って大気中に放出される。
この際、分解ガスが熱回収コイル２１を通過することで、分解ガスの熱は該熱回収コイル２１を介して、排熱循環装置２内を循環する循環水に与えられる。つまり、分解ガスの熱を受け取ることで、循環水は昇温される。
【００９９】
そして、蓄熱タンク２２に嵌設される温度検出手段５６が循環水の温度（Ｔｗ）を検出（測定）し（ステップＳ１０７）、該検出した検出値を電気信号として温度調整器５１に送信する。
【０１００】
前記電気信号を受信した温度調整器５１は、前記電気信号の内容（つまり、循環水の温度（Ｔｗ））に基づいて比例制御による演算処理を実行する。
即ち、温度調整器５１には予め設定された閾値としての温度の範囲（循環水の目標温度である、８５℃以上９０℃以内）が記憶されている。そして、実際の循環水の温度（Ｔｗ）と、前記閾値としての温度範囲（８５℃以上９０℃以内）との温度差に基づいて、温度調整器５１は、各ダンパー１２・１３の開度（回動軸１２ｂ・１３ｂを中心とするダンパー１２・１３の回動角度）を算出する。
【０１０１】
つまり、実際の循環水の温度（Ｔｗ）が閾値としての温度範囲（８５℃以上９０℃以内）を大きく下回る場合には、温度調整器５１は、前記温度範囲内の最低温度（８５℃）と、実際の循環水の温度（Ｔｗ）と、の温度差に基づいて各ダンパー１２・１３の開度を算出し、熱回収コイル２１を通過する分解ガスの流量が多くなるように各ダンパー１２・１３の開度を算出する。
【０１０２】
また、前記温度範囲内の最低温度（８５℃）と、実際の循環水の温度（Ｔｗ）と、の温度差が小さい場合には、温度調整器５１は、熱回収コイル２１を通過する分解ガスの流量が少なくなるように各ダンパー１２・１３の開度を算出するようになっている。
【０１０３】
そして、前記算出された開度に基づき、温度調整器５１はダンパー１２・１３のアクチュエーター１２ｃ・１３ｃに対して各々出力信号を送信し、該出力信号を受信したアクチュエーター１２ｃ・１３ｃはこれらダンパー１２・１３の開度が算出された開度となるように、該ダンパー１２・１３を各々回動させる。
【０１０４】
その後随時（予め定められた一定時間ごとに）、温度検出手段５６は循環水の温度を検出し、該検出された検出値（循環水の温度（Ｔｗ））に基づいて、温度調整器５１がダンパー１２・１３の開度を繰り返し調整するようになっている。
【０１０５】
このように、排熱循環装置２は、熱回収コイル２１と蓄熱タンク２２との間における循環水の循環運転が開始されると、温度調整器５１による該循環水の温度に基づく比例制御によってダンパー１２・１３の開度の算出を繰り返し、熱回収コイル２１を通過する分解ガスの流量を逐次調整するように構成されている（ステップＳ１０８）。
【０１０６】
つまり、循環水は熱回収コイル２１と蓄熱タンク２２との間における循環運転を繰り返すことで、熱回収コイル２１によって徐々に昇温され、ダンパー１２・１３に関する比例制御をおこなうことで、分解ガスの流量を逐次調整し効率的に昇温されるのである。
【０１０７】
また、昇温された循環水は、排熱循環装置２の循環運転の実行中においては、一時的に蓄熱タンク２２に備蓄されるようになっている。
よって、分解ガスの熱によって昇温された循環水は、予め定められた閾値としての温度（循環水の目標温度である、８５℃以上９０℃以内）にまで到達すれば、その後、蓄熱タンク２２によって効果的に該温度が保たれるのである。
【０１０８】
［排熱取出装置３の運転方法］
次に、排熱回収システム１００における排熱取出装置３の運転方法について、図３を用いて説明する。
なお、本実施例では、複数の被昇温対象物４・４・４としての湯洗槽４ａ、化成槽４ｂ、脱脂槽４ｃに対して、各々排熱取出装置３・３・３を設けているが、これら排熱取出装置３・３・３の運転方法は全て同じである。よって、以下の説明においては、湯洗槽４ａにおける排熱取出装置３の運転方法について記載し、他の化成槽４ｂと脱脂槽４ｃにおける排熱取出装置３の運転方法については省略する。
【０１０９】
先ず、脱臭装置１の運転が開始され、排熱循環装置２における循環水の循環運転が実行される状態において、湯洗槽４ａに挿嵌される温度検出手段５７によって、該湯洗槽４ａ内に貯溜される温水の温度（Ｔｔ）が検出（測定）される（ステップＳ２０１）。そして、検出された検出値は電気信号として温度調整器５３に送信される。
【０１１０】
前記電気信号を受信した温度調整器５３は、前記電気信号の内容（つまり、湯洗槽４ａ内に貯溜される温水の温度（Ｔｔ））に基づいて、演算処理を実行する。
即ち、温度調整器５３には予め設定された閾値としての温度（Ｔｂ）が記憶されている。そして、温度調整器５３は、温水の温度（Ｔｔ）が、前記閾値としての温度（Ｔｂ）未満であるかどうかが判定される（ステップＳ２０２）。
【０１１１】
なお、電着塗装ラインの前処理ラインに設けられる湯洗槽４ａや、化成槽４ｂや、脱脂槽４ｃにおいて使用される温水の温度については、従来からの経験などにより４５℃近傍（具体的には、４０℃以上４５℃以内）が適温とされており、本実施例においては、前記閾値としての温度（Ｔｂ）は、４０℃以上４５℃以内における何れか任意の温度に設定することとしている。
【０１１２】
そして、温度検出手段５７によって検出された、湯洗槽４ａ内の温水の温度（Ｔｔ）が閾値の温度（Ｔｂ）を超える場合、予め定められた一定時間の経過後に再び、湯洗槽４ａ内に貯溜される温水の温度（Ｔｔ）が検出（測定）され、該温度（Ｔｔ）が、前記閾値としての温度（Ｔｂ）未満であるかどうかが判定される（ステップＳ２０２）。
【０１１３】
一方、温度検出手段５７によって検出された、湯洗槽４ａ内の温水の温度（Ｔｔ）が閾値の温度（Ｔｂ）未満である場合、温度調整器５３は、排熱循環装置２の循環水を介して熱を供給することが可能か否かの判定を行う。
【０１１４】
即ち、蓄熱タンク２２に嵌設される温度検出手段５６によって、該蓄熱タンク２２内に一時的に備蓄される循環水の温度（Ｔｗ）が検出（測定）され（ステップＳ２０３）、該検出された検出値は電気信号として温度調整器５１に送信される。
前記電気信号を受信した温度調整器５１は、制御装置５からの要求により前記電気信号を制御装置５に送信する。
そして、前記電気信号を受信した制御装置５は、前記電気信号を温度調整器５３に送信する。
【０１１５】
前記電気信号を受信した温度調整器５３では、前記電気信号の内容（つまり、蓄熱タンク２２内に備蓄される循環水の温度（Ｔｗ））に基づいて、演算処理を実行する。
即ち、温度調整器５３には予め設定された閾値としての温度（Ｔｃ）が記憶されている。そして、温度調整器５３は、循環水の温度（Ｔｗ）が、前記閾値としての温度（Ｔｃ）以上であるか否かを判定する（ステップＳ２０４）。
【０１１６】
ここで、前述の通り、排熱循環装置２において、循環水の目標温度は、略９０℃（８５℃以上９０℃以内）に設定しているが、本実施例における排熱取出装置３において、前記閾値としての温度（Ｔｃ）は７０℃に設定し、循環水が目標温度（略９０℃）に到達する以前の状態であっても、該循環水によって湯洗槽４ａ内の温水を昇温することを可能としている。
これは、従来の経験などから、湯洗槽４ａ内に貯溜される温水を、例えば常温付近の温度から４５℃近傍にまで昇温させるために必要な熱媒体（循環水）の温度は、７０℃以上のものであればよいことが知られており、循環水が目標温度（略９０℃）に到達するまで、排熱取出装置３による温水の昇温を行うことができないとする方が、排熱回収システム１００全体として時間的・経済的に無駄が多いことによる。
【０１１７】
但し、前記閾値としての温度（Ｔｃ）の設定値は、本実施例のごとく７０℃に限定されるものではなく、例えば、環水の目標温度である略９０℃（８５℃以上９０℃以内）に設定し、循環水循環水が目標温度（略９０℃）に到達するのを待って排熱取出装置３による温水の昇温を行うこととしてもよい。この場合、温水と熱媒体（循環水）との温度差がより一層大きくなり、該温水が４５℃近傍に昇温されるのにかかる時間を短縮できるのは言うまでもない。
【０１１８】
そして、循環水の温度（Ｔｗ）が閾値の温度（Ｔｃ＝７０℃）以上であれば、温度調整器５３はポンプ３３に対して出力信号を送信し、該出力信号を受信したポンプ３３は作動し（ステップＳ２０５）、蓄熱タンク２２内に備蓄される循環水が熱交換器３１に向かって圧送される。
即ち、第二循環経路３２を介して、蓄熱タンク２２と熱交換器３１との間における循環水の循環運転が開始され、熱交換器３１において、循環水を熱媒体として湯洗槽４ａ内の温水が昇温される。
【０１１９】
なお、本実施例においては、ポンプ３３の運転については、温水の温度（Ｔｔ）と循環水の温度（Ｔｗ）との現状況によって作動・停止の制御のみを行うこととしているが、このような制御方法に限定されるものではない。
即ち、ポンプ３３の運転に関する制御方法は、例えばより効率的に湯洗槽４ａ内に貯溜される温水の温度（Ｔｔ）を昇温させるべく、該温水の温度（Ｔｔ）の温度に応じて、ポンプ３３により循環水の圧送量を調整したり、或いは開閉弁により温水の流量を調整したりするような制御方法であってもよい。
【０１２０】
そして随時（予め定められた一定時間ごとに）、温度検出手段５７は湯洗槽４ａ内の温水の温度（Ｔｔ）を検出（測定）し（ステップＳ２０７）、温度調整器５３は、温度検出手段５７によって検出された検出値（温水の温度（Ｔｔ））が予め設定された閾値としての温度（Ｔｂ）以上であるかどうかを判定する（ステップＳ２０８）。
【０１２１】
そして、湯洗槽４ａ内の温水の温度（Ｔｔ）が閾値としての温度（Ｔｂ）以上であれば、温度調整器５３はポンプ３３に対して出力信号を送信し、該出力信号を受信したポンプ３３は作動を停止する（ステップＳ２０９）。
【０１２２】
一方、湯洗槽４ａ内の温水の温度（Ｔｔ）が閾値としての温度（Ｔｂ）未満であれば、温度調整器５３よりポンプ３３に対して出力信号が送信されることはなく、再び一定時間の経過後に温度検出手段５７によって湯洗槽４ａ内の温水の温度（Ｔｔ）を検出（測定）し（ステップＳ２０７）、温度調整器５３は、湯洗槽４ａ内の温水の温度（Ｔｔ）が閾値としての温度（Ｔｂ）以上であるかどうかを判定する（ステップＳ２０８）。
【０１２３】
そして、湯洗槽４ａ内の温水の温度（Ｔｔ）が閾値としての温度（Ｔｂ）以上となれば、温度調整器５３はポンプ３３に対して出力信号を送信し、該出力信号を受信したポンプ３３は作動を停止する（ステップＳ２０９）。
【０１２４】
一方、前記ステップ２０４において、循環水の温度（Ｔｗ）が閾値の温度（Ｔｃ＝７０℃）未満であれば、温度調整器５３は電磁式開閉弁５９に対して出力信号を送信し、該出力信号を受信した電磁式開閉弁５９は蒸気供給経路５８を「開」状態とし（ステップＳ２０６）、該蒸気供給経路５８を介して高温蒸気を湯洗槽４ａ内に供給する。そして、供給された高温蒸気によって湯洗槽４ａ内の温水が昇温される。
【０１２５】
その後随時（予め定められた一定時間ごとに）、温度検出手段５７は湯洗槽４ａ内の温水の温度（Ｔｔ）を検出（測定）し（ステップＳ２０７）、温度調整器５３は、温度検出手段５７によって検出された検出値（温水の温度（Ｔｔ））が予め設定された閾値としての温度（Ｔｂ）以上であるかどうかを判定する（ステップＳ２０８）。
【０１２６】
そして、湯洗槽４ａ内の温水の温度（Ｔｔ）が閾値としての温度（Ｔｂ）以上であれば、温度調整器５３は電磁式開閉弁５９に対して出力信号を送信し、該出力信号を受信した電磁式開閉弁５９は蒸気供給経路５８を「閉」状態とする（ステップＳ２０９）。
【０１２７】
一方、湯洗槽４ａ内の温水の温度（Ｔｔ）が閾値としての温度（Ｔｂ）未満であれば、温度調整器５３より電磁式開閉弁５９に対して出力信号が送信されることはなく、再び一定時間の経過後に温度検出手段５７によって湯洗槽４ａ内の温水の温度（Ｔｔ）を検出（測定）し（ステップＳ２０７）、温度調整器５３は、湯洗槽４ａ内の温水の温度（Ｔｔ）が閾値としての温度（Ｔｂ）以上であるかどうかを判定する（ステップＳ２０８）。
【０１２８】
そして、湯洗槽４ａ内の温水の温度（Ｔｔ）が閾値としての温度（Ｔｂ）以上となれば、温度調整器５３は電磁式開閉弁５９に対して出力信号を送信し、該出力信号を受信した電磁式開閉弁５９は蒸気供給経路５８を「閉」状態とする（ステップＳ２０９）。
【０１２９】
以上のように、本実施例における排熱回収システム１００は、脱臭装置１を利用した排熱回収システム１００であって、脱臭装置１と、前記脱臭装置１に配設され該脱臭装置１からの排ガスを外部に排出するための排出ガス用ダクト１１内に設けられる熱回収コイル（熱交換器）２１と、前記熱回収コイル（熱交換器）２１内を流動して、前記排出ガス用ダクト１１内を通過する排ガスにより昇温される循環水と、前記循環水を一時的に備蓄する蓄熱タンク２２と、前記熱回収コイル（熱交換器）２１と蓄熱タンク２２とを接続し、前記循環水を前記熱回収コイル（熱交換器）２１と前記蓄熱タンク２２との間で循環させるための第一循環経路２３と、前記蓄熱タンク２２内の循環水を外部に取り出し、取り出した循環水を循環させ、該循環水の熱により被昇温対象物４を昇温する排熱取出装置（昇温手段）３と、を備えることとしている。
【０１３０】
一方、本実施例における排熱回収方法は、脱臭装置１を利用した排熱回収方法であって、脱臭装置１より排出された排出ガスの熱を循環水により回収して、該循環水を昇温させ、昇温された循環水を一時的に備蓄し、備蓄された循環水を外部に取り出して、該循環水の熱により被昇温対象物４を昇温することとしている。
【０１３１】
このような構成を有することで、本実施例における排熱回収システム１００は、脱臭装置１より排出される排ガス（分解ガス）の熱を利用するとともに、他の生産ライン（例えば、前述した電着塗装ラインの前処理ラインなど）に影響を与えることのない独立した単独システムとして構築することができる。
【０１３２】
即ち、本実施例における排熱回収システム１００では、蓄熱タンク２２を中心として、循環水が排熱循環装置２および排熱取出装置３内を循環する単独システムとして構成されており、前記循環水を熱媒体として、被昇温対象物４（脱脂槽４ｃや化成槽４ｂや湯洗槽４ａ内に貯溜される温水）を昇温させる構成となっている。
【０１３３】
よって、従来の排熱回収システム２００（図４を参照）のように、脱脂槽４ｃや化成槽４ｂや湯洗槽４ａ内に貯溜される温水を直接昇温させるような構成とは異なり、本実施例における排熱回収システム１００は、被昇温対象物４内に貯溜される温水と、前記循環水とは独立した構成となっており、例えば排熱回収システム１００が故障するなど予測不可能な事態が発生したとしても、他の生産ライン（例えば、前述した電着塗装ラインの前処理ラインなど）に影響を与えることもない。
【０１３４】
つまり、従来の排熱回収システム２００においては、温水槽２２２・２２２内に備蓄される温水を、直接化成槽２０４ａや、脱脂槽２０４ｂに供給して利用するため、第一循環経路２２３の一部が破損して、温水の漏水が発生した場合には、化成槽２０４ａや、脱脂槽２０４ｂの槽内における温水の水量を保持することができなくなり、電着塗装ラインの前処理ラインに直接影響を与えるようなシステム構成となっていた。
【０１３５】
これに対して、本実施例における排熱回収システム１００では、他の設備などに対して完全に独立した構成となっており、蓄熱タンク２２に備蓄される循環水を熱媒体として被昇温対象物４（脱脂槽４ｃや化成槽４ｂや湯洗槽４ａ内に貯溜される温水）を昇温させる構成となっているため、例えば、排熱循環装置２の第一循環経路２３の一部が破損した場合においてもこれら被昇温対象物４が設けられる他の生産ラインに影響を与えることもないのである。
【０１３６】
また、本実施例における排熱回収システム１００は、脱臭装置１より排出された分解ガス（排出ガス）から回収した熱を高温の循環水として蓄熱タンク２２内に備蓄することができるため、脱臭装置１の運転前であって、排熱回収時の熱源となる分解ガスが未だ発生していない場合などにおいても、蓄熱タンク２２内の高温の循環水により、脱脂槽４ｃや化成槽４ｂや湯洗槽４ａ内に貯溜される温水を昇温させることができる。
【０１３７】
よって、従来の排熱回収システム２００においては、脱臭装置２０１の運転開始後、分解ガスの温度が所定の温度に昇温されるまで、排熱回収システム２００の運転を開始することができず、その間における温水槽２２２・２２２内に備蓄される温水の昇温については高温の蒸気によって行われることから、該蒸気の使用量が突発的に増加する時間帯（脱臭装置２０１の運転を開始する、週始めの早朝など）が発生していたが、本実施例における排熱回収システム１００では、このような時間帯の発生を軽減することができる。
【０１３８】
さらに、本実施例における排熱回収システム１００では、脱脂槽４ｃや化成槽４ｂや湯洗槽４ａ内に貯溜される温水が所定の温度にまで昇温された後においても、循環水を介して回収した熱を蓄熱タンク２２内に備蓄しておくことで、分解ガスからの排熱回収を引き続き行うことができる。
即ち、蓄熱タンク２２を所謂排熱のクッションタンクとして利用することで、生産ラインの稼働時においては、連続して排熱回収を行うことができる。
【０１３９】
また、本実施例における排熱回収システム１００では、前記排出ガス用ダクト１１は、本流部１１ａと、前記本流部１１ａの中途部で分岐するバイパス部１１ｂと、により構成され、前記熱回収コイル（熱交換器）２１は前記バイパス部１１ｂ内に設けられ、前記本流部１１ａ内における前記バイパス部１１ｂの分岐箇所１１Ａ近傍の下流側（本実施例においては、前記バイパス部１１ｂの分岐箇所１１Ａと合流箇所１１Ｂとに挟まれた領域）と、前記バイパス部１１ｂ内における前記本流部１１ａからの分岐箇所１１Ａ近傍とには、前記本流部１１ａおよびバイパス部１１ｂの開閉量を調節可能なダンパー（開閉弁）１２・１３を配設することとしている。
【０１４０】
一方、本実施例における排熱回収方法としては、前記排出ガスより回収する熱の増減は、前記排出ガスの流量を増減することにより行うこととしている。
【０１４１】
このような構成とすることで、分解ガスは循環水を所定の温度にまで昇温させるべく、十分な温度にまで上昇された状態で熱回収コイル２１に供給されることとなり、かつ分解ガスの流量を調整することで循環水の温度を微調整することが可能となる。
よって、効果的に排熱回収を行うことができ、循環水の温度を所定の温度に容易に保持することが可能となる。
【０１４２】
また、本実施例における排熱回収システム１００では、前記蓄熱タンク２２には、内部に備蓄する循環水の温度を検出する温度検出手段（第一温度検出手段）５６を配設し、前記温度検出手段（第一温度検出手段）５６により検出した温度に基づいて、前記ダンパー（開閉弁）１２・１３の開閉量を比例制御することとしている。
【０１４３】
一方、本実施例における排熱回収方法としては、前記循環水の温度を測定し、前記温度に基づく比例制御を行うことで、前記排出ガスの流量を増減することとしている。
【０１４４】
このような構成とすることで、分解ガスの流量を逐次調整することが可能となり、循環水を効率的に昇温させることができる。
【０１４５】
また、本実施例における排熱回収システム１００では、前記被昇温対象物４には、該被昇温対象物４の温度を測定する温度検出手段（第二温度検出手段）５７が配設され、前記温度検出手段（第二温度検出手段）５７により検出した温度が所定の温度になるように、前記排熱取出装置（昇温手段）３に循環させる循環水の流量を調整するとともに、前記ダンパー（開閉弁）１２・１３弁、および前記第一循環経路２３内と前記排熱取出装置（昇温手段）３とを循環する循環水の流量は共通の制御装置５によって制御されることとしている。
【０１４６】
一方、本実施例における排熱回収方法としては、前記被昇温対象物４の温度を測定し、前記温度に基づいて、前記被昇温対象物４が所定の温度になるように、前記備蓄された循環水を外部に取り出す流量を調整するとともに、前記排出ガスの流量と、前記排出ガスの熱を回収する循環水の流量と、回収した熱を外部に取り出す循環水の流量と、は共通の制御装置５によって制御することとしている。
【０１４７】
このような構成とすることで、共通の制御装置５に設けられるタッチパネルなどによって排熱回収システム１００全体の運転操作を行うことができるため、該排熱回収システム１００のオペレータも少人数ですみ経済的である。
【０１４８】
また、本実施例における排熱回収システム１００、および排熱回収方法では、前記制御装置５は表示パネルを具備し、前記脱臭装置１と前記ダンパー（開閉弁）１２・１３とに関する運転状況、および前記第一循環経路２３内と前記排熱取出装置（昇温手段）３を循環する循環水に関する現状況は、前記表示パネルによって表示されることとしている。
【０１４９】
このような構成とすることで、オペレータにとって見れば、排熱回収システム１００の全体的な運転状況を、制御装置５に設けられる共通のパネル上にて容易に確認することができる。
【０１５０】
即ち、従来の排熱回収システム２００（図４を参照）においては、該排熱回収システム２００を構成する脱臭装置２０１や、排熱循環装置２０２や、排熱取出装置２０３などに対して各々制御盤（制御装置、図４上において図示せず）を設け、これら各々の制御盤（制御装置）によって脱臭装置２０１や、排熱循環装置２０２や、排熱取出装置２０３などの運転状況を表示する構成となっていた。
【０１５１】
例えば、脱臭装置１に設けられる制御盤（制御装置）では、脱臭装置１と前記ダンパー１２・１３とに関する運転状況を表示し、排熱循環装置２０２に設けられる制御盤（制御装置）では、第一循環経路２３内を循環する循環水に関する現状況（温度や流量など）を表示し、排熱取出装置２０３に設けられる制御盤（制御装置）では、前記排熱取出装置３内を循環する循環水に関する現状況（温度や流量など）を表示することとしていた。
【０１５２】
よって、従来の排熱回収システム２００では、システム全体の運転状況を把握するには、これら制御盤（制御装置）を各々確認する必要があり、かつ脱臭装置２０１や、排熱循環装置２０２や、排熱取出装置２０３の運転状況を個別に確認したうえでシステム全体の運転状況を理解するのは容易なことではなかった。
【０１５３】
そこで、本実施例に示すように、制御装置５に設けられる共通のパネルによって、脱臭装置１と前記ダンパー１２・１３とに関する運転状況、および前記第一循環経路２３内と前記排熱取出装置３内を循環する循環水に関する現状況を表示することで、作業者にとって見れば、排熱回収システム１００の全体的な運転状況を容易に確認することができるのである。
【０１５４】
また、本実施例における排熱回収システム１００、および排熱回収方法では、前記循環水は、前記熱回収コイル２１内を流動することにより、８５℃以上９０℃以内にまで昇温されることとしている。
【０１５５】
このような構成とすることで、循環水を熱媒体として被昇温対象物４としての脱脂槽４ｃや化成槽４ｂや湯洗槽４ａ（の内部に貯溜される温水）を昇温させる際の、熱効率を向上させることができる。
【０１５６】
即ち、従来の排熱回収システム２００（図４を参照）においては、化成槽２０４ａや、脱脂槽２０４ｂによって用いられる温水の温度は、４５℃近傍（具体的には、４０℃以上４５℃以内）であるところ、熱回収コイル２２１を介して昇温された温水が、温水漕２２２・２２２を中継して化成槽２０４ａや、脱脂槽２０４ｂに供給されるまでには、外部の雰囲気によって徐々に冷却されることとなる。
【０１５７】
よって、熱回収コイル２２１に送給された温水は、略６０℃にまで一旦昇温され、その後、温水漕２２２・２２２内にて略５０℃にまで冷却されて化成槽２０４ａや、脱脂槽２０４ｂに供給されるようになっている。
【０１５８】
従って、従来の排熱回収システム２００においては、熱回収コイル２２１によって熱を回収した直後の温水と、温水漕２２２・２２２内に備蓄される温水と、の温度差は約１０℃と小さく、熱効率としては低かった。
【０１５９】
これに対して、本実施例における排熱回収システム１００では、熱回収コイル２１によって熱を回収し、循環水を熱媒体として、回収した熱によって直接脱脂槽４ｃや化成槽４ｂや湯洗槽４ａ（の内部に貯溜される温水）を昇温させる構成となっている。
つまり、本実施例における排熱回収システム１００では、８５℃以上９０℃以内にまで昇温された循環水を熱交換器３１内に流すことで、脱脂槽４ｃや化成槽４ｂや湯洗槽４ａの内部に貯溜される温水を４５℃近傍にまで昇温させることになる。
【０１６０】
従って、熱を回収した直後の循環水と、これら脱脂槽４ｃや化成槽４ｂや湯洗槽４ａの内部に貯溜される温水と、の温度差は約４０℃以上４５℃以内と大きく、該温水が所定の温度（４５℃近傍）にまで昇温されるのにかかる時間を短縮することができ、熱効率を向上させることができるのである。
【０１６１】
また、従来の排熱回収システム２００（図４を参照）においては、熱回収コイル２２１に送給された温水が、９０℃以上の過剰昇温となる場合は、その後温水槽２２２・２２２に供給され、該温水槽２２２・２２２内の温水の温度が過剰に昇温されることのないように、排熱回収システム２００外に排水することとしているため、回収した熱を十分に利用することが困難なシステム構成となっていた。
【０１６２】
これに対して、本実施例における排熱回収システム１００では、熱回収コイル２１を介して、８５℃以上９０℃以内にまで循環水を昇温させることとしているため、回収した熱を、従来の排熱回収システム２００に比べてより有効的に利用することができるのである。
【符号の説明】
【０１６３】
１    脱臭装置
３    排熱取出装置（昇温手段）
４    被昇温対象物
４ａ    湯洗槽
４ｂ    化成槽
４ｃ    脱脂槽
５    制御装置
１１    排出ガス用ダクト
１１ａ    本流部
１１ｂ    バイパス部
１２    ダンパー（開閉弁）
１３    ダンパー（開閉弁）
２１    熱回収コイル
２２    蓄熱タンク
２３    第一循環経路
５６    温度検出手段（第一温度検出手段）
５７    温度検出手段（第二温度検出手段）
１００    排熱回収システム
【図１】
2011094853.tif 000003
【図２】
2011094853.tif 000004
【図３】
2011094853.tif 000005
【図４】
2011094853.tif 000006